(57)【要約】【課題】本発明の目的は、異なる仕様の画像形成装置であっても、同じ光学走査装置を用いることを可能とし、光学走査装置の製造に関わる投資を抑え、光学走査装置のコストダウンを可能とすることである。【解決手段】回転多面鏡を回転駆動し、光源からの光束を前記回転多面鏡により偏向する光偏向器と、前記回転多面鏡が偏向した光束を集光する結像レンズと、前記結像レンズと前記光偏向器とを保持する光学箱と、前記光学箱の開口を塞ぐ光学蓋と、少なくとも第一の密閉度または前記第一の密閉度より密閉度が高い第二の密閉度を選択して、前記光学箱または前記光学蓋に設けられた被遮蔽部を遮蔽する防塵部材と、を有する。【選択図】    図５
2018194627.tif 000002
【特許請求の範囲】
【請求項１】
回転多面鏡を回転駆動し、光源からの光束を前記回転多面鏡により偏向する光偏向器と、
前記回転多面鏡が偏向した光束を集光する結像レンズと、
前記結像レンズと前記光偏向器とを保持する光学箱と、
前記光学箱の開口を塞ぐ光学蓋と、
少なくとも第一の密閉度または前記第一の密閉度より密閉度が高い第二の密閉度を選択して、前記光学箱または前記光学蓋に設けられた被遮蔽部を遮蔽する防塵部材と、
を有することを特徴とする光学走査装置。
【請求項２】
前記防塵部材は、弾性を有する発泡体であることを特徴とする請求項１に記載の光学走査装置。
【請求項３】
前記防塵部材は、内部に微細穴が無数に開いており、前記微細穴は複数の穴が連続している連泡性であることを特徴とする請求項１または請求項２に記載の光学走査装置。
【請求項４】
前記光学箱または前記光学蓋は、前記被遮蔽部を含み、前記防塵部材を収納する収納部を有し、
前記収納部は少なくとも一つの突起を有し、
前記防塵部材は前記突起と係合可能な切り込みを有し、
前記切り込みを前記突起に係合させて前記防塵部材を前記収納部に収納する第一の保持状態、または、前記切り込みを前記突起に係合させずに前記防塵部材を前記第一の保持状態より圧縮して前記収納部に収納する第二の保持状態を選択して、前記被遮蔽部を遮蔽することを特徴とする請求項１〜請求項３のいずれか一項に記載の光学走査装置。
【請求項５】
前記光学箱または前記光学蓋は、前記被遮蔽部を含み、前記防塵部材を収納する収納部を有し、
前記収納部は、少なくとも第一の収納部と、前記第一の収納部よりも前記防塵部材の挿入方向の投影面積が小さい第二の収納部を有し、
前記防塵部材を前記第一の収納部に収納し、または前記防塵部材を前記第一の収納部に収納する場合に比べて圧縮して前記第二の収納部に収納して、前記被遮蔽部を遮蔽することを特徴とする請求項１〜請求項３のいずれか一項に記載の光学走査装置。
【請求項６】
前記光学箱または前記光学蓋は、前記被遮蔽部を含み、前記防塵部材を収納する収納部を有し、
前記防塵部材は、少なくとも第一の遮蔽部と、前記防塵部材の挿入方向において前記第一の遮蔽部よりも肉厚が厚い第二の遮蔽部を有し、
前記被遮蔽部を前記第一の遮蔽部で遮蔽するように前記防塵部材を前記収納部に収納し、または前記被遮蔽部を前記第二の遮蔽部で遮蔽するように前記防塵部材を前記収納部に収納して、前記被遮蔽部を遮蔽することを特徴とする請求項１〜請求項３のいずれか一項に記載の光学走査装置。
【発明の詳細な説明】
【技術分野】
【０００１】
本発明は、光源からの光束を偏向して走査する光学走査装置に関し、特にレーザビームプリンタ（以下、ＬＢＰ）やデジタル複写機、デジタルＦＡＸ等の画像形成装置に用いられる光学走査装置に関するものである。
【背景技術】
【０００２】
従来から、プリンタや複写機等の画像形成装置に用いられる光学走査装置は、防塵性能を上げる方法が提案されている。特許文献１のように、光学走査装置の防塵性能を上げる方法として、光学走査装置に開いた穴に弾性の防塵部材を収納して、防塵性能を上げる方法が提案されている。また、特許文献２のように、光学箱に設けられた穴を塞ぐ防塵部材として、二方向性の形状記憶合金からなる開閉部材を用いる方法も提案されている。
【先行技術文献】
【特許文献】
【０００３】
【特許文献１】特開平１１−１３３３３６号公報
【特許文献２】特開２００１−２２１９７０号公報
【発明の概要】
【発明が解決しようとする課題】
【０００４】
しかしながら、画像形成装置は、機種によって製品仕様が異なるため、搭載する光学走査装置に必要な防塵性能や放熱性にも違いがある。
【０００５】
例えば、印刷速度の速い画像形成装置の場合は、一般的には内部の駆動系や定着器の発熱が大きいため、その対応として大きな冷却ファンを画像形成装置内部に備えている。この場合、光学走査装置周辺の空気の流量も多くなるため、搭載する光学走査装置には高い防塵性能が求められるものの、空気の流量が多いため光学走査装置の密閉度を上げても、光学走査装置内部の発熱に関しては問題がない。
【０００６】
一方、印刷速度の遅い画像形成装置の場合は、一般的には内部の駆動系や定着器の発熱は低いため、その対応として大きな冷却ファンは必要なく、冷却ファンそのものが無いか、もしくは数が少ない、もしくはサイズや回転数が低いことが多い。この場合、光学走査装置周辺の空気の流量も少なくなるため、搭載する光学走査装置に高い防塵性能は必要ない。しかし、空気の流量が少ない状態で光学走査装置の密閉度を上げると光学走査装置内部の発熱そのものが問題となってしまうため、逆に密閉度は下げて放熱性を良くする必要が出てくる。
【０００７】
このように異なる仕様の製品に同一の光学走査装置を搭載する場合には、特許文献１の光学走査装置では密閉度と放熱性の両立することができないため、発熱量、密閉度、放熱性等においてそれぞれ異なる仕様の光学走査装置を用意する必要があった。
【０００８】
また、特許文献２の技術を用いれば、画像形成装置の機種毎にファンによる気流が異なっても、密閉度と放熱性のバランスを取ることが可能となるが、防塵部材として形状記憶合金という特殊な素材を用いているため、コストアップする恐れがある。
【０００９】
そこで本発明の目的は、異なる仕様の画像形成装置であっても、同じ光学走査装置を用いることを可能とし、光学走査装置の製造に関わる投資を抑え、光学走査装置のコストダウンを可能とすることである。
【課題を解決するための手段】
【００１０】
上記目的を達成するため、本発明は、回転多面鏡を回転駆動し、光源からの光束を前記回転多面鏡により偏向する光偏向器と、前記回転多面鏡が偏向した光束を集光する結像レンズと、前記結像レンズと前記光偏向器とを保持する光学箱と、前記光学箱の開口を塞ぐ光学蓋と、少なくとも第一の密閉度または前記第一の密閉度より密閉度が高い第二の密閉度を選択して、前記光学箱または前記光学蓋に設けられた被遮蔽部を遮蔽する防塵部材と、を有することを特徴とする。
【発明の効果】
【００１１】
本発明によれば、画像形成装置毎に光学走査装置への空気の流量が異なる場合など、異なる仕様の画像形成装置であっても、同じ防塵部材を用いることが可能となる。つまり、防塵部材の共通化が可能となり、防塵部材の製造に関わる投資を抑え、光学走査装置のコストダウンが可能となる。
【図面の簡単な説明】
【００１２】
【図１】画像形成装置の概略断面図
【図２】光学走査装置の概略斜視図
【図３】制御基板による画像形成装置の制御構成図
【図４】実施例１の光学走査装置の詳細斜視図
【図５】（ａ）（ｂ）は実施例１の光学走査装置の詳細斜視図
【図６】（ａ）（ｂ）は実施例１の光学走査装置の詳細断面図
【図７】実施例１の光学走査装置の詳細斜視図
【図８】（ａ）（ｂ）は実施例１の光学走査装置の詳細斜視図
【図９】実施例２の光学走査装置の詳細斜視図
【図１０】（ａ）（ｂ）は実施例２の光学走査装置の詳細斜視図
【図１１】（ａ）（ｂ）は実施例２の光学走査装置の詳細断面図
【図１２】実施例３の光学走査装置の詳細斜視図
【図１３】（ａ）（ｂ）は実施例３の光学走査装置の詳細斜視図
【図１４】（ａ）（ｂ）は実施例３の光学走査装置の詳細断面図
【発明を実施するための形態】
【００１３】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００１４】
［画像形成装置］
まず図１を用いて、光学走査装置を有する画像形成装置について説明する。図１は、光学走査装置を有する画像形成装置１００の概略断面図である。ＰＣ等の装置外部ホスト装置からプリント指示を受けると、以下に示す画像形成動作を行う。まず、光照射手段としての光学走査装置７が画像情報に応じて変調されたレーザ光を、帯電ローラ１０２により帯電された感光体（像担持体）１０３に照射し走査する。これにより感光体１０３には画像データに応じた静電潜像が形成される。この感光体１０３上の静電潜像に対して現像器１０４からトナーが供給されて感光体１０３上に付着し、感光体１０３上に画像情報に応じたトナー像が形成される。
【００１５】
一方、給紙カセット１０５に収納された記録材Ｐはピックアップローラ１０６によって一枚ずつ給紙され、ローラ１０７によってレジストローラ１０８に向けて搬送される。さらに記録材Ｐは、感光体１０３上のトナー画像が感光体１０３と転写ローラ１０９で形成される転写ニップに到達するタイミングに合わせて、レジストローラ１０８から搬送される。記録材Ｐが転写ニップを通過する過程で感光体１０３上のトナー像は記録材Ｐ上に転写される。その後、記録材Ｐは定着器１１０で加熱されてトナー像が記録材Ｐに加熱及び加圧されて定着される。定着後の記録材Ｐは、ローラ１１１，１１２によってプリンタ上部の排紙トレイ１１３に排出される。このような画像形成動作によって記録材Ｐ上に画像を形成する。この、記録材Ｐが給紙カセット１０５から給紙されて排紙トレイ１１３に至るまでの時間とその前後の時間において、ファン１１９が駆動して、画像形成装置１００の外気からの空気を内部に送り、画像形成装置１００の内部の昇温を抑える。
【００１６】
なお、感光体１０３に残留したトナーはクリーナ１１４によって感光体１０３上から除去される。また、記録材Ｐの搬送路中の所定の位置には、センサ１１５，１１６，１１７，１１８がそれぞれ設けられ、各センサ位置での記録材Ｐの有無を検知する。上述した画像形成装置１００による画像形成動作の制御は制御基板４に設けられた、不図示の電気回路及びＣＰＵ（演算部）により行う。ＣＰＵには記録材Ｐの搬送状態を検知するために、センサ１１５，１１６，１１７，１１８からの出力信号が入力されている。ＣＰＵはセンサ１１５，１１６，１１７，１１８からの出力信号を用いて、画像形成に関わる駆動源の制御、画像形成に関する制御、更には故障検知に関する制御など、本体の動作を一括して制御している。また、画像処理基板１０は、ＰＣ等のホスト装置（図３参照）からプリント指示及び画像データを受け取り、画像データを光学走査装置７が発光するためのビデオ信号に変換する。
【００１７】
［光学走査装置］
次に図２を用いて光学走査装置７について説明する。図２は光学走査装置７の上側から見た斜視図である。
【００１８】
ビデオ信号に基づく画像情報をレーザ基板７０２が受信すると、レーザ基板７０２と電気的に接続されたレーザ（光源）７０３からレーザビームＢ１が出射される。出射されたレーザビームＢ１は、シリンドリカルレンズ７０６によって副走査方向のみ集光され、黒色樹脂等から成る光学箱７０７に形成された光学絞り７１１によって所定のビーム径に制限され、回転多面鏡の反射面７１２に主走査方向に長い線状に集光される。回転多面鏡７０５は、光偏向器７０４によって回転駆動され、入射したレーザビーム（光束）Ｂ１を偏向する。偏向されたレーザビームＢ２は、ｆθレンズ（結像レンズ）７０９を通過し、長尺の折返しミラー７１０で反射後、感光体１０３上に集光、走査され、静電潜像を形成する。光偏向器７０４や結像レンズなどは光学箱７０７に保持されている。光学箱７０７の上部開口は、樹脂等や板金等から成る光学蓋７０８によって略閉塞される。
【００１９】
［画像形成動作の制御］
次に図３を用いて制御基板４によって画像形成動作を制御する構成について説明する。図３は制御基板４による画像形成装置１００の制御構成を示すブロック図である。
【００２０】
図３に示すように、ピックアップローラ１０６、搬送ローラ１０７、レジストローラ１０８、転写ローラ１０９はモータ２０１からギアを介して駆動力を得ている。同様に定着器１１０、ローラ１１１，１１２はモータ２０２から駆動力を得ている。つまり、モータ２０１及びモータ２０２は記録材を搬送する搬送手段（各ローラ）を駆動する駆動部（駆動源）である。モータ２０１及びモータ２０２は制御基板４から出力される制御信号に従い動作する。搬送センサ１１５〜１１８は、それぞれフォトインタラプタと遮光フラグを備えた光学センサであり、制御基板４から電源を供給されて動作し、検出結果を制御基板４に出力する。画像処理基板１０はホスト装置Ｈから受けたプリント指示信号を制御基板４へ出力し、制御基板４から出力される画像形成装置の状態等の情報に関わる信号を受信する、制御基板４とは別のＣＰＵ（演算部）、及び、電気回路を備える基板である。レーザ基板７０２は制御基板４からプリント指示信号に基づいた制御信号を受信して、レーザ７０３に駆動信号を送信する。光偏向器７０４はプリント指示信号に基づいた制御信号を制御基板４から受信して駆動する。
【００２１】
モータ２０１、２０２、センサ１１５〜１１８、レーザ基板７０２、光偏向器７０４、画像処理基板１０はいずれも信号を伝送するための電線６で制御基板４と接続される。ここでは、制御基板４と制御基板４に電気的に接続される部材（モータ２０１，２０２、センサ１１５，１１６，１１７，１１８、レーザ基板７０２、光偏向器７０４、画像処理基板１０）との間にそれぞれ信号線が少なくとも一本設けられ、これらのそれぞれを電線６と称している。なお、電線６は物理的な信号線１本だけに限定されるものではなく、差動信号線のように互いに対応する複数の物理的な信号線も電線６である。
【００２２】
〔実施例１〕
図４は実施例１の光学走査装置７の詳細斜視図である。光偏向器７０４（図２参照）には電線６と接続するためのコネクタ部７２０が設けられている。光学蓋７０８には、前記コネクタ部７２０を通すためのコネクタ穴（被遮蔽部）７２１が設けられている。このコネクタ穴７２１は光学蓋７０８の天面７０８ａから一段下がった収納部７２２に設けられている。この一段下がった収納部７２２には少なくとも一つの突起が設けられている。ここでは、前記収納部７２２は３つの突起７２４ａ，７２４ｂ，７２４ｃを有している。この収納部７２２にはコネクタ穴７２１を塞ぐように弾性を有する防塵部材７２３が収められる。
【００２３】
防塵部材７２３には、前記収納部７２２に設けられた突起７２４ａ，７２４ｂ，７２４ｃの位置に合うように切り込み７２５ａ，７２５ｂ，７２５ｃが設けられている。また、防塵部材７２３には、前記突起と係合可能な切り込み７２５ａ，７２５ｂ，７２５ｃとは別に、電線６が通るための電線用切り込み７２６も設けられている。
【００２４】
図５は実施例１の光学走査装置７に防塵部材７２３を組み付けた状態の詳細斜視図である。図５（ａ）および図５（ｂ）に示すように、防塵部材７２３の向きによって密閉度の異なる二種類の収納方法が選択可能である。図５（ａ）は、防塵部材７２３の切り込み７２５ａ，７２５ｂ，７２５ｃが収納部の突起７２４ａ，７２４ｂ，７２４ｃの位置に合うように、防塵部材７２３を収納部７２２に収納した第一の保持状態を示す。図５（ｂ）は、防塵部材７２３の切り込み７２５ａ，７２５ｂ，７２５ｃを収納部の突起７２４ａ，７２４ｂ，７２４ｃに係合させずに、防塵部材７２３を第一の保持状態より圧縮して収納部７２２に収納した第二の保持状態を示す。すなわち図５（ｂ）に示す状態では、図５（ａ）に示す状態に比べて、防塵部材７２３を反転させ、切り込み７２５ａ，７２５ｂ，７２５ｃを突起７２４ａ，７２４ｂ，７２４ｃとは反対側に位置するように収納している。このように図５（ｂ）の収納方法は、切り込み７２５ａ，７２５ｂ，７２５ｃが突起７２４ａ，７２４ｂ，７２４ｃとは反対側に位置するため、防塵部材７２３の大きさが突起７２４ａ，７２４ｂ，７２４ｃによって規制され、図５（ａ）に示す収納方法に比べて、防塵部材７２３が圧縮される。これにより、図５（ｂ）に示す状態では、防塵部材７２３により遮蔽する被遮蔽部の密閉度が、図５（ａ）に示す状態に比べて、密閉度が高くなる。すなわち、同じ防塵部材７２３を用いて、第一の密閉度（第一の保持状態）、または前記第一の密閉度より密閉度が高い第二の密閉度（第二の保持状態）を選択することができる。
【００２５】
図６は実施例１の光学走査装置７の一部の詳細断面図である。図６（ａ）は、図５（ａ）に示す破線において、矢印Ｃ方向から見た断面図である。図６（ｂ）は、図５（ｂ）に示す破線において、矢印Ｄ方向から見た断面図である。防塵部材７２３は弾性を有する連泡性の発泡体である。防塵部材７２３は、内部に微細穴７２７が無数に開いており、この微細穴７２７は複数の穴が連続している連泡性である。図６（ｂ）に示すように防塵部材７２３を圧縮して収納部７２２に収める方（第二の保持状態）が、図６（ａ）に示すように防塵部材７２３を圧縮しない方（第一の保持状態）よりも、防塵部材７２３の微細穴７２７が更に細くなる（Ｌ１＞Ｌ２）。そのため、光学走査装置７の外気が比較的入りにくくなり、防塵部材７２３の密閉度が上がる。そのため、光学走査装置７への空気の流量が多い画像形成装置の場合（印刷速度が速い画像形成装置など）、防塵部材７２３を圧縮しない場合に比べて、図５（ｂ）に示すように圧縮して光学蓋７０８の収納部７２２に設置することにより防塵性能を上げることが可能となる。また、光学走査装置７への空気の流量少ない画像形成装置の場合（印刷速度が遅い画像形成装置など）、図５（ａ）に示すように防塵部材７２３を圧縮しないで光学蓋７０８に設置することで連続した微細穴７２７の太さが変わらず、防塵部材７２３の密閉度を維持できる。また、防塵部材７２３の微細穴７２７は連泡性であるため、光学走査装置７内部の熱Ｔが防塵部材７２３の微細穴７２７を通して光学走査装置７の外に放出される（図６（ａ））。そのため、防塵部材７２３を圧縮しないで光学蓋７０８に設置することで、光学走査装置７内部の熱Ｔを外に出しやすくなり、放熱性を上げることが可能となる。
【００２６】
以上のことから、光学走査装置７への空気の流量が異なっても防塵部材７２３の収め方を選択することで、同じ防塵部材７２３を用いて、防塵性能と放熱性能のどちらを優先するか選択可能となる。そして、防塵部材７２３の共通化を実現でき、コストダウンが可能となる。
【００２７】
本実施例では、被遮蔽部（コネクタ穴）を塞ぐ防塵部材７２３を収める収納部を光学蓋７０８に設けた構成を例示したが、これに限定されるものではない。同様の効果を得られるなら、図７に示すように防塵部材を収める収納部７２９を光学箱７０７に設けても良い。コネクタ部７２０から伸びた電線６は光学箱７０７に設けられたコネクタ溝（被遮蔽部）７３０ａ，７３０ｂを通り制御基板と接続している。収納部７２９には突起７２８ａ，７２８ｂ，７２８ｃが設けられている。この構成によっても、防塵部材７２３の切り込み７２５ａ，７２５ｂ，７２５ｃが突起７２８ａ，７２８ｂ，７２８ｃの位置に合うように、防塵部材７２３を収納部７２９に収める方法と（図８（ａ））、防塵部材７２３を反転させ、切り込み７２５ａ，７２５ｂ，７２５ｃを突起７２８ａ，７２８ｂ，７２８ｃとは反対側に位置するように収める方法（図８（ｂ））を選択することが可能である。
【００２８】
〔実施例２〕
図９〜図１１を用いて、実施例２に係る光学走査装置の特徴的な構成について説明する。なお、以下に説明する光学走査装置の特徴的な構成以外の構成は、前述した実施例とほぼ同様であるため、ここでは説明を省略する。
【００２９】
図９は実施例２の光学走査装置８７の詳細斜視図である。図９に示すように、光学蓋８０８には、光学蓋８０８の天面８０８ａから一段下がった場所に第一の収納部８２２ａが設けられ、第一の収納部８２２ａよりもう一段下がった場所に第二の収納部８２２ｂがそれぞれ設けられている。第二の収納部８２２ｂには電線６と接続しているコネクタ部８２０を通すためのコネクタ穴（被遮蔽部）８２１が設けられている。第二の収納部８２２ｂは、第一の収納部８２２ａよりも防塵部材８２３の挿入方向の投影面積が小さくなっている。
【００３０】
図１０は実施例２の光学走査装置８７に防塵部材８２３を組み付けた状態の詳細斜視図である。図１０（ａ）に示すように、防塵部材８２３を第一の収納部８２２ａに収める方法と、図１０（ｂ）に示すように、防塵部材８２３を第二の収納部８２２ｂに収める方法とを選択できる。図１０（ｂ）に示す収納方法は、第一の収納部８２２ａより小さい第二の収納部８２２ｂに防塵部材８２３を収納するため、図１０（ａ）に示す収納方法に比べて、防塵部材８２３が圧縮される。これにより、図１０（ｂ）に示す状態では、防塵部材８２３により遮蔽する被遮蔽部（コネクタ穴）の密閉度が、図１０（ａ）に示す状態に比べて、密閉度が高くなる。すなわち、同じ防塵部材８２３を用いて、第一の密閉度（図１０（ａ）の状態）、または前記第一の密閉度より密閉度が高い第二の密閉度（図１０（ｂ）の状態）を選択することができる。
【００３１】
図１１は実施例２の光学走査装置８７の一部の詳細断面図である。図１１（ａ）は、図１０（ａ）に示す破線において、矢印Ｃ方向から見た断面図である。図１１（ｂ）は、図１０（ｂ）に示す破線において、矢印Ｄ方向から見た断面図である。防塵部材８２３を第一の収納部８２２ａに納める場合（図１０（ａ）、図１１（ａ））と比較して、第二の収納部８２２ｂに収める場合は（図１０（ｂ）、図１１（ｂ））、防塵部材８２３を圧縮して収納部８２２ｂに収める。そのため、防塵部材８２３を圧縮して第二の収納部８２２ｂに収める場合は（図１０（ｂ）、図１１（ｂ））、防塵部材８２３を第一の収納部８２２ａに納める場合に比べて、防塵部材８２３の微細穴８２７が更に細くなる（Ｌ１＞Ｌ２）。そのため、より光学走査装置８７の外気が比較的入りにくくなり、防塵部材８２３の密閉度が上がる。
【００３２】
よって本実施例では実施例１と同様に、光学走査装置８７への空気の流量（吹き付けるファンの風量など）が異なっても防塵部材８２３の収め方を選択することで、同じ防塵部材８２３を用いて、防塵性能と放熱性能のどちらを優先するか選択可能となる。そして、防塵部材８２３の共通化を実現でき、コストダウンが可能となる。更に、実施例１のように突起の位相と防塵部材の切り込みの位相を合わせる必要が無いため、防塵部材８２３をより組立て易くなる。
【００３３】
尚、収納部の数は二段に限らず、例えば三段、四段程度設け、光学走査装置への空気の流量（吹き付けるファンの風量など）の仕様に応じて、防塵部材の圧縮具合の選択肢を増やしても良い。
【００３４】
〔実施例３〕
図１２〜図１４を用いて、実施例３に係る光学走査装置の特徴的な構成について説明する。なお、以下に説明する光学走査装置の特徴的な構成以外の構成は、前述した実施例とほぼ同様であるため、ここでは説明を省略する。
【００３５】
図１２は実施例３の光学走査装置９７の詳細斜視図である。図１２に示すように、光学蓋９０８には、光学蓋９０８の天面９０８ａから一段下がった場所に収納部９２２が設けられている。収納部９２２には、電線６と接続しているコネクタ部９２０を通すためのコネクタ穴（被遮蔽部）９２１が設けられている。また、前記収納部９２２に収納され、コネクタ穴９２１を遮蔽する防塵部材９２３は、少なくとも薄肉部（第一の遮蔽部）９２３ａと、防塵部材９２３の挿入方向において前記薄肉部９２３ａよりも肉厚が厚い厚肉部（第二の遮蔽部）９２３ｂを有している。防塵部材９２３において、薄肉部９２３ａには電線６を通すための切り込み９２５ａが設けられ、厚肉部９２３ｂには電線６を通すための切り込み９２５ｂが設けられている。
【００３６】
図１３は実施例３の光学走査装置９７の詳細斜視図である。図１３（ａ）に示すように薄肉部９２３ａがコネクタ穴の真上になるように防塵部材９２３を収納部９２２に収める場合と、図１３（ｂ）に示すように厚肉部９２３ｂがコネクタ穴の真上になるように防塵部材９２３を収納部９２２に収める場合とを選択することが可能である。その際、薄肉部９２３ａがコネクタ穴の真上になる場合は切り込み９２５ａに電線６を通し、厚肉部９２３ｂがコネクタ穴の真上になる場合は切り込み９２５ｂに電線６を通す。
【００３７】
図１４は実施例３の光学走査装置９７の一部の詳細断面図である。図１４（ａ）は、図１３（ａ）に示す破線において、矢印Ｃ方向から見た断面図である。図１４（ｂ）は、図１３（ｂ）に示す破線において、矢印Ｄ方向から見た断面図である。図１４（ａ）および図１４（ｂ）に示すように、防塵部材９２３の向きを変えることで、コネクタ穴９２１の上の防塵部材９２３の厚さを選択することができる。防塵部材９２３は連泡性のため、厚肉部９２３ｂがコネクタ穴９２１の上にある場合（図１４（ｂ））は、薄肉部９２３ａが上にある場合（図１４（ａ））に比べて、光学走査装置の外からの空気が入りにくくなるため、防塵性能を上げることができ、防塵部材９２３の密閉度が上がる。一方、薄肉部９２３ａがコネクタ穴９２１の上にある場合（図１３の（ａ））は、光学走査装置９７の内部の熱せられた空気が外に出易いため、放熱性を上げることができる。
【００３８】
よって本実施例では実施例１と同様に、光学走査装置９７への空気の流量（吹き付けるファンの風量など）が異なっても防塵部材９２３の収め方を選択することで、同じ防塵部材９２３を用いて、防塵性能と放熱性能のどちらを優先するか選択可能となる。そして、防塵部材９２３の共通化を実現でき、コストダウンが可能となる。更に本実施例では、実施例１や実施例２のように防塵部材９２３を設置する場合に、圧縮しなくても良いため、防塵部材９２３をより組立て易くなる。
【００３９】
尚、防塵部材の遮蔽部の数は二つに限らず、例えば四つ設けて、光学走査装置への空気の流量（吹き付けるファンの風量など）の仕様に応じて、収納部へ収納する防塵部材の向きを変更することで肉厚（密閉度）の選択肢を増やしても良い。
【００４０】
〔他の実施例〕
なお、前述した実施例では、感光体（像担持体）の上側から露光する光学走査装置の構成を例示したが、これに限定するものではなく、感光体の下側から露光する光学走査装置においても、本発明を適用することで同等の効果が得られる。
【００４１】
また、前述した実施例では、１つの像担持体に光を照射することが可能な１つの光学走査装置の構成について述べたが、像担持体や光学走査装置の使用個数はこれに限定されるものではなく、必要に応じて適宜設定すれば良い。
【００４２】
また前述した実施例では、光学走査装置を備えた画像形成装置としてプリンタを例示したが、本発明はこれに限定されるものではない。例えば複写機、ファクシミリ装置等の他の画像形成装置や、或いはこれらの機能を組み合わせた複合機等の他の画像形成装置であってもよい。これらの画像形成装置が有する光学走査装置に本発明を適用することにより同様の効果を得ることができる。
【符号の説明】
【００４３】
６    …電線
７，８７，９７ …光学走査装置
１００ …画像形成装置
１０３ …感光体
１１０ …定着器
１１９ …ファン
７０２ …レーザ基板
７０３ …レーザ
７０４ …光偏向器
７０５ …回転多面鏡
７０６ …シリンドリカルレンズ
７０７，８０７，９０７ …光学箱
７０８，８０８，９０８ …光学蓋
７０８ａ，８０８ａ，９０８ａ …天面
７０９ …ｆθレンズ
７１０ …ミラー
７１１ …光学絞り
７１２ …反射面
７２０，８２０，９２０ …コネクタ部
７２１，８２１，９２１ …コネクタ穴
７２２，７２９，８２２ａ，８２２ｂ，９２２ …収納部
７２３，８２３，９２３ …防塵部材
７２４ａ，７２４ｂ，７２４ｃ，７２８ａ，７２８ｂ，７２８ｃ …突起
７２５ａ，７２５ｂ，７２５ｃ，７２６，９２５ａ，９２５ｂ …切り込み
７２７，８２７，９２７ …微細穴
７３０ａ，７３０ｂ …コネクタ溝
９２３ａ …薄肉部
９２３ｂ …厚肉部
【図１】
2018194627.tif 000003
【図２】
2018194627.tif 000004
【図３】
2018194627.tif 000005
【図４】
2018194627.tif 000006
【図５】
2018194627.tif 000007
【図６】
2018194627.tif 000008
【図７】
2018194627.tif 000009
【図８】
2018194627.tif 000010
【図９】
2018194627.tif 000011
【図１０】
2018194627.tif 000012
【図１１】
2018194627.tif 000013
【図１２】
2018194627.tif 000014
【図１３】
2018194627.tif 000015
【図１４】
2018194627.tif 000016